(57)【要約】【課題】  現場での組立が容易で、使用中に柱による居住空間の狭隘化がなく、運搬コストが安く、使用後の分解が可能で移築再使用が可能な中期建築物として好適な建築物を提供する。【解決手段】  上下の梁の間に、複数個の強化フレームを横方向に間隔を置いて前記梁に対して分離可能に取付けて、前記上下の梁の間に柱を設けることを不要にした。  基礎と、基礎に立設した柱と、柱の上端部間に架設した第１の梁と、金属製の方形枠体にタスキを固着してなる強化フレームであって、基礎の直線部分の上方に存在する第１の梁に対して少なくとも２個がボルトナットにより固着されたものと、第１の梁と同一構造を有し、強化フレームの上端部にボルトナットにより固着された第２の梁と、第１の梁と第２の梁との間に強化フレームに隣接して取り付けられたサッシ又は壁体もしくはサッシ及び壁体とを有してなり、２階の柱を不要とした。【選択図】  図１
2009074240.tif 000002
【特許請求の範囲】
【請求項１】
上下の梁の間に、複数個の強化フレームを横方向に間隔を置いて前記梁に対して分離可能に取付けて、前記上下の梁の間に柱を設けることを不要にしたことを特徴とする建築物。
【請求項２】
強化フレームは、方形の金属枠体に金属製タスキを溶接又は固着してなることを特徴とする請求項１に記載の建築物。
【請求項３】
平面多角形の各辺に沿って設けた基礎と、
前記基礎に立設した１階分の高さの柱と、
前記柱の上端部間に架設した第１の梁と、
方形の金属製枠体に金属製のタスキを対角線状に固着してなる強化フレームであって、前記平面多角形の各辺の上方に存在する前記第１の梁に対して少なくとも２個が、その下端においてボルトナットにより固着されたものと、
前記第１の梁と同一構造を有し、前記平面多角形の各辺の上方に存在する強化フレームの上端部にボルトナットにより固着された第２の梁と、
前記第１の梁と前記第２の梁との間に、前記強化フレームに隣接して取り付けられたサッシ又は壁体もしくはサッシ及び壁体と、
を有し、２階の柱を不要とされたことを特徴とする建築物。
【請求項４】
第１の梁の上方に第１の梁と同一構造の複数の梁を等間隔を持って設けるとともに、各梁の間に強化フレームとサッシ又は壁体もしくはサッシ及び壁体を設けて、２階以上の柱を不要とされたことを特徴とする請求項３に記載の建築物。
【請求項５】
いずれの梁も横転Ｈ形鋼で作られているとともに、強化フレームの金属製枠体はアングル材を方形に溶接してなり、上下のアングル材の水平辺を前記梁のフランジ部に重ね合わせ、その重ね合わせ部分においてボルトナットにより前記梁に固着されていることを特徴とする請求項３又は４に記載の建築物。
【請求項６】
平面多角形の各辺に沿って設けた基礎に柱を立設し、前記柱の上端部間に第１の梁を架設し、前記平面多角形の各辺の上方に存在する第１の梁に、方形の金属枠体に金属製のタスキを対角線状に固着してなる複数個の強化フレームを、その下端において前記第１の梁にボルトナットにより固着し、前記平面多角形の各辺の上方に存在する強化フレームの上端部に前記第１の梁と同一構造を有する第２の梁をボルトナットにより固着し、前記第１の梁と前記第２の梁に、サッシ又は壁体もしくはサッシ及び壁体の上下端部を固定することを特徴とする建築物の施工方法。
【請求項７】
請求項６に記載の第２の梁に、第１の梁に対する強化フレームの下端部の固着、その強化フレームの上端部に対する第２の梁の固着及び前記第１の梁と前記第２の梁に対するサッシ又は壁体もしくはサッシ及び壁体の上下端部の固定を、第２の梁及びその上方に設けられる梁に対して繰り返すことを特徴とする建築物の施工方法。
【発明の詳細な説明】
【技術分野】
【０００１】
本発明は、新しい構造の建築物及びその施工方法に関する。
【背景技術】
【０００２】
建築物を、使用期間の長短で区分すると、１年未満の短期建築物と、１０年以上の長期建築物に区分することができる。短期建築物は、施工期間の短縮のため、ボックスタイプのフレームを組積し、又は並置して建築していた。また、長期建築物には、木造、軽量鉄骨造、鉄骨造、コンクリート造等がある。
【特許文献１】特になし
【発明の開示】
【発明が解決しようとする課題】
【０００３】
短期建築物は、現場での組立が不要であるが、運搬コストも高くつき、使用中は柱により居住空間が狭められて、有効空間率が小さい。また、使用後の分解も不能であるため、移築再使用に適していない。
長期建築物は、現場での組立が必要であり、使用中は柱により居住空間が狭められて、有効空間率が小さい点は短期建築物と同様であり、使用後の分解は困難又は不可能であって、移築再使用は困難又は不可能である。
【０００４】
使用期間が１年以上１０年未満の、いわば中期建築物は、従来の建築物の区分には無かった。しかも、現場での組立、使用後の分解が可能な、従って、移築再使用が可能な建築物は知られていない。このような建築物の需要があまり無かったからであると思われる。
【０００５】
ところが、特に大都会では、新たに発生した空き地には、立地条件、地積の大小、所有者の資産状況などのために、直ちに長期建築物や永久建築物を建築することができないが、空き地のまま放置するのも不経済であるという状況がある。そこで、好機が到来するまでの間、例えば、１年以上１０年未満の間に限り使用できる中期建築物をその土地に建造して、又は建造させて、家賃、地代などあるいは営業利益の獲得を図ることが考えられている。これに伴い、中期建築物に対する需要が急激に増加してきた。
【０００６】
本発明は、上記事情に鑑みてなされたものであり、解決しようとする第１の課題は、現場での組立、使用後の分解が可能で、使用中に柱による居住空間の狭隘化がなく、従って、運搬コストが高くなく、移築再使用が可能な中期建築物として好適な建築物を提供することにある。
第２の課題は、上記建築物の施工を高能率的に行うことができる施工方法を提供することにある。
【課題を解決するための手段】
【０００７】
上記第１の課題を解決するため、本発明に係る建築物は、上下の梁の間に、複数個の強化フレームを横方向に間隔を置いて前記梁に対して分離可能に取付けて、前記上下の梁の間に柱を設けることを不要にしたことを特徴としている。
そして、前記強化フレームは、方形の金属枠体に金属製タスキを溶接又は固着してなるものであることを特徴としている。
本発明に係る建築物は、また、平面多角形の各辺に沿って設けた基礎と、前記基礎に立設した１階分の高さの柱と、前記柱の上端部間に架設した第１の梁と、方形の金属製枠体に金属製のタスキを対角線状に固着してなる強化フレームであって、前記平面多角形の各辺の上方に存在する前記第１の梁に対して少なくとも２個が、その下端においてボルトナットにより固着されたものと、前記第１の梁と同一構造を有し、前記平面多角形の各辺の上方に存在する強化フレームの上端部にボルトナットにより固着された第２の梁と、前記第１の梁と前記第２の梁との間に、前記強化フレームに隣接して取り付けられたサッシ又は壁体もしくはサッシ及び壁体とを有し、２階の柱を不要とされたことを特徴としている。
【０００８】
本発明は、第１の梁の上方に第１の梁と同一構造の複数の梁を等間隔を持って設けるとともに、各梁の間に強化フレームと壁体又はサッシもしくは壁体及びサッシを設けて、２階以上の柱を不要とされた構造とすることができる。
【０００９】
本発明の好ましい例では、上記建築物において、いずれの梁も横転Ｈ形鋼で作られているとともに、強化フレームの金属製枠体はアングル材を方形に溶接してなり、上下のアングル材の水平辺を前記梁のフランジ部に重ね合わせ、その重ね合わせ部分においてボルトナットにより前記梁に固着されていることを特徴としている。
【００１０】
本発明に係る施工方法は、平面多角形の各辺に沿って設けた基礎に柱を立設し、前記柱の上端部間に第１の梁を架設し、前記平面多角形の各辺の上方に存在する第１の梁に、方形の金属枠体に金属製のタスキを対角線状に固着してなる複数個の強化フレームを、その下端において前記第１の梁にボルトナットにより固着し、前記平面多角形の各辺の上方に存在する強化フレームの上端部に前記第１の梁と同一構造を有する第２の梁をボルトナットにより固着し、前記第１の梁と前記第２の梁にサッシ又は壁体もしくはサッシ及び壁体の上下端部を固定することを特徴としている。
【００１１】
３階以上の建築物の場合は、上記第２の梁に、上記第１の梁に対する強化フレームの下端部の固着、その強化フレームの上端部に対する第２の梁の固着及び前記第１の梁と前記第２の梁に対するサッシ又は壁体もしくはサッシ及び壁体の上下端部の固定を、第２の梁及びその上方に設けられる梁に対して繰り返すことを特徴としている。
【発明の効果】
【００１２】
請求項１の発明によれば、上下の梁の間に複数個の強化フレームを横方向に間隔をおいで分離可能に取付けて建築物が構成されるから、建築要素の運搬コストの削減、現場での組立容易化が可能であり、上下の梁の間に柱がないので、従来の建築物よりも室内空間の有効容積を拡大することが可能である。さらに、使用後は建築物の分解が容易であるから、移築再使用に好適である。
請求項２の発明によれば、柱の不要化を実現できる強度を有する強化フレームを容易に得ることができる。
【００１３】
請求項３の発明によれば、第１の梁と第２の梁の間には、強化フレームがボルトナットにより固着して取り付けられ、サッシ又は壁体もしくはサッシ及び壁体が設けられるので、建築要素の運搬コストが削減され、現場での組立が容易であり、建築物の使用中は２階に柱がないので広い居住空間が得られる。また、使用後は分解が容易であるから、移築再使用に好適である。
請求項４の発明によれば、２階以上おいても柱のない広い居住空間を有する建築物の提供が可能である。
【００１４】
請求項５の発明によれば、梁と強化フレームの接続が容易にできるとともに、同じ梁にサッシ、壁体のほか、床材を容易に取り付けることができる。
【００１５】
請求項６の発明によれば、構成要素を下側から順次設置して、柱の無い建築物を能率的に建造することができる。
【００１６】
請求項７の発明によれば、上下の梁に対する構成要素の取付施工の繰り返しにより、２階以上に柱の無い３階以上の建築物を能率的に建造することができる。
【発明を実施するための最良の形態】
【００１７】
次に、本発明の実施の形態について、図面に示す実施例に基づいて説明する。
図１は本発明を３階建て建築物に適用した場合の正面図、図２は同じく側面図、図３は図１の１階部分の横断面図である。図４は本発明に係る建築物の施工方法の工程を示す説明図である。なお、これらの図面には、図面の簡明化のため、階段が省略されている。図５は図１におけるＸ−Ｘ線断面図、図６は図５の矢Ａ視方向の側面図、図７は強化フレーム及び壁壁の取付構造の一例を示す縦断面図、図８は図７のＹ−Ｙ線断面図、図９は外壁の他の縦断面図である。
【００１８】
図において、１は地面Ｇに既知の方法により打設されたコンクリート基礎である。基礎１は、図３に例示するように、通常は平面方形に形成されるが、建築敷地の地形によっては、三角形、台形、その他の任意の多角形でも良い。円弧その他の曲線部分を有する基礎でも構わないが、直線部分を有する基礎にすることが好ましい。
【００１９】
基礎１には、角部及びその角部から一例として９００ｍｍなどの所望の距離を隔てた位置に柱２Ｃ，２Ｒ，２Ｌが立設されている。柱は、建築物の階数を問わず、１階分の長さのみ有する。基礎１の一つの直線部分当たり少なくとも２本の柱が左右に隔てて立設されれば良いが、所要の耐震、耐荷重強度を備えるために、図示の例のように、角部とその角部から所定距離離れた位置とに柱２Ｃ，２Ｒ，２Ｌを立設し、隣り合う柱に筋交い３を設けることが望ましい。また、１階の床面を駐車場等として使用する場合は、柱間に車両用出入り口４を形成すればよい。また、出入り口の間口が大きすぎる場合は、補強用の中間柱２Ｍを設ける場合もある。上記の基礎の打設及び柱の立設は、既知の施工方法により行うことができる｛図４(ａ）（ｂ）参照｝。
【００２０】
基礎の直線部分に立設された柱２Ｃ，２Ｒ，２Ｌ，２Ｃ；２Ｃ，２Ｒ，２Ｍ，２Ｌ，２Ｃの上端部間には、梁（特許請求の範囲における第１の梁に相当）５Ａが架設されている。柱と梁との接続は、その一方又は双方に溶接した接続金具６同士を面接触させ、それらの接続金具に貫通したボルトにナット７，８をねじ込む方法により行われ（図５には柱２Ｒと梁５Ａとの接続例が示されている。）、建築物の使用終了後には、そのボルトナット７，８を取り外すことにより、分離可能とされている。
【００２１】
梁５Ａは、好ましい実施例においては、断面Ｈ字形の鋼材（Ｈ形鋼）を横転させて構成してあり、図５に示すように、下側のフランジ５１に柱２Ｒ，２Ｌ又は２Ｍの上端部に溶接した接続金具６を当接し、ボルトにナット７，８により固着されている。
【００２２】
上述のようにして、基礎１の直線部分に立設された各柱の上端部に梁５Ａを架設し、見掛け上、基礎の平面形状と同一形状に連続された後は、各梁５Ａの上側のフランジ５２に、後に詳述する強化フレーム９の下端部が、別のボルトナット７，８により固着される。
【００２３】
強化フレーム９は、図１及び図２に示すように、鉄などの金属製枠体９０に金属製タスキ９１を接続してなるものである。枠体９０は、図５及び図６に示すように、断面Ｌ字形のアングル材を方形に溶接し、帯板状のタスキ材を対角線状に配置し、両端を接続片９２を介して枠体９０に溶接してタスキ９１を形成してある。従って、強化フレーム９は、非常に大きな強度を備えている。もちろん、強化フレームの外表面には法規に適合する既知の耐火剤が備えられている。
【００２４】
強化フレーム９は、図５に示すように、枠体９０を構成するアングル材の水平辺９０ａを梁５Ａの上側のフランジ５２に当接し、これらの水平辺９０ａとフランジ５２に貫通したボルト７にナット８を螺合することにより固着されている。従って、強化フレームの梁５Ａに対する固着作業を迅速容易に行うことができる。
【００２５】
一つの梁５Ａに対して少なくとも二つの強化フレーム９を梁５Ａの長手方向に間隔をおいて固着する作業を、全ての梁５Ａに対して終了した後、それぞれ共通の垂直面に存在する強化フレームの上端部に梁（特許請求の範囲における第２の梁に相当）５Ｂが固着されている。この梁５Ｂは、梁５Ａと同じＨ形鋼で構成され、梁５Ｂの各強化フレーム９に対する固着構造は、図５の梁５Ａの上半部分を上下反転した構造に等しい。すなわち、強化フレーム９の下端部を下側の梁５Ａの上側フランジ５２に対してボルトナット７，８により固着したのと全く同じ要領で、強化フレーム９の上端部を上側の梁５Ｂの下側フランジに対して固着することができる。従って、強化フレーム及び梁の取付の施工能率が向上する。
【００２６】
建築物を２階建てとして完成する場合は、図７に例示するように、下側の梁５Ａに既知の床材１０を既知の方法により取付け、上側の梁５Ｂに既知の屋根材１１を既知の方法により取り付ける。すなわち、梁５Ａ，５Ｂは、横転Ｈ形鋼を用いているから、上下のフランジ５１，５２あるいは両フランジ及びウェブ５３の間の溝５４を用いて、かつ、既知の図示されない接続具を用いて床材１０又は屋根材１１を取り付けることができる。１１ａは屋根材に設けられた断熱材である。
【００２７】
上下の梁５Ａ，５Ｂの間に固定された各強化フレーム９の屋外側面には、図７及び図８に例示するように、断熱性、耐熱性、耐候性などを備えたプレート１２を強化フレーム９に溶接された接続金具１３と、ボルトナット１４，１５などにより付加されている。
【００２８】
さらに、強化フレーム９を介して固定された上下の梁５Ａ，５Ｂの間には、図９に例示するように、強化フレームの存在しない位置において、既知のサッシ１６、カーテンウォール又はガラス板その他の壁体（図示せず）、もしくはサッシと壁体が、上下の梁５Ａ，５Ｂを用いて取り付けられ、上下の梁間の垂直面が遮蔽されて、垂直面間に室内空間が形成されている。
【００２９】
図１，２には、上下の梁の間に強化フレーム９のみが取り付けられた状態を示してあり、強化フレーム９に付着される外装材、強化フレーム９の間に取付けられるサッシや壁体が省略されている。図７、９において、１７は梁５Ｂの屋外側の溝５４を塞ぐ外装材であり、１８は屋根材１１の端部と外装材１７の上端部との間に設けられた水密材である。
【００３０】
各強化フレーム９は、非常に大きな強度を有するので、従来の建築物の柱を代替する機能を有する。従って、比較的大きな断面積を有する柱の使用が不要であるため、同じ建築面積の従来の建築物よりも室内空間の有効容積を大きくすることができる。
【００３１】
図４（ｃ）に破線で示すように、上側の梁５Ｂの上側にさらに別の強化フレーム９の下端部を上述した場合と同じ要領で固着し、それらの強化フレームの上端部にさらに別の梁５Ｃを固着し、その梁５Ｃに既知の屋根材をボルトナットにより固着することにより、図１，２に示されているような３階建ての建築物、あるいはさらに、同様の施工の繰り返しにより、３階以上の建築物とすることができる。
【図面の簡単な説明】
【００３２】
【図１】本発明を３階建て建築物に適用した場合の正面図。
【図２】同じく側面図。
【図３】図１の１階部分の横断面図。
【図４】本発明に係る建築物の施工方法の工程を示す説明図。
【図５】図１におけるＸ−Ｘ線断面図。
【図６】図５の矢Ａ視方向の側面図。
【図７】強化フレーム及び壁壁の取付構造の一例を示す縦断面図。
【図８】図７のＹ−Ｙ線断面図。
【図９】外壁の他の縦断面図。
【符号の説明】
【００３３】
１          基礎
２Ｃ，２Ｒ，２Ｌ，２Ｍ    柱
５Ａ，５Ｂ，５Ｃ  梁
５Ａ        第１の梁
５Ｂ        第２の梁
７，８      ボルトナット
９          強化フレーム
９０        枠体
９１        タスキ
１０        床材
１１        屋根材
１２        外装材
１６        サッシ
【図１】
2009074240.tif 000003
【図２】
2009074240.tif 000004
【図３】
2009074240.tif 000005
【図４】
2009074240.tif 000006
【図５】
2009074240.tif 000007
【図６】
2009074240.tif 000008
【図７】
2009074240.tif 000009
【図８】
2009074240.tif 000010
【図９】
2009074240.tif 000011
【手続補正書】
【提出日】平成20年9月30日(2008.9.30)
【手続補正１】
【補正対象書類名】特許請求の範囲
【補正対象項目名】全文
【補正方法】変更
【補正の内容】
【特許請求の範囲】
【請求項１】
上下の梁の間に、複数個の強化フレームを横方向に間隔を置いて前記梁に対して分離可能に取付けて、前記上下の梁の間に柱を設けることを不要にしたことを特徴とする建築物。
【請求項２】
強化フレームは、方形の金属枠体に金属製タスキを溶接又は固着してなることを特徴とする請求項１に記載の建築物。
【請求項３】
平面多角形の各辺に沿って設けた基礎と、
前記基礎に立設した１階分の高さの柱と、
前記柱の上端部間に架設した第１の梁と、
方形の金属製枠体に金属製のタスキを対角線状に固着してなる強化フレームであって、前記平面多角形の各辺の上方に存在する前記第１の梁に対して少なくとも２個が、その下端においてボルトナットにより分離可能に固着されたものと、
前記第１の梁と同一構造を有し、前記平面多角形の各辺の上方に存在する強化フレームの上端部にボルトナットにより分離可能に固着された第２の梁と、
前記第１の梁と前記第２の梁との間に、前記強化フレームに隣接して取り付けられたサッシ又は壁体もしくはサッシ及び壁体と、
を有し、２階の柱を不要とされたことを特徴とする建築物。
【請求項４】
第１の梁の上方に第１の梁と同一構造の複数の梁を等間隔を持って設けるとともに、各梁の間に強化フレームとサッシ又は壁体もしくはサッシ及び壁体を設けて、２階以上の柱を不要とされたことを特徴とする請求項３に記載の建築物。
【請求項５】
いずれの梁も横転Ｈ形鋼で作られているとともに、強化フレームの金属製枠体はアングル材を方形に溶接してなり、上下のアングル材の水平辺を前記梁のフランジ部に重ね合わせ、その重ね合わせ部分においてボルトナットにより前記梁に分離可能に固着されていることを特徴とする請求項３又は４に記載の建築物。
【請求項６】
基礎に１階分の高さの柱を立設する第１工程と、前記柱の上端部間に第１の梁を架設する第２工程と、前記第１の梁に複数個の方形の強化フレームを、その下端においてボルトナットにより分離可能に固着する第３工程と、前記強化フレームの上端部に前記第１の梁と同一構造を有する第２の梁をボルトナットにより分離可能に固着する第４工程と、前記第１の梁と前記第２の梁の間に、サッシ又は壁体もしくはサッシ及び壁体を分離可能に固定する第５工程とからなることを特徴とする建築物の施工方法。
【請求項７】
基礎に１階分の高さの柱を立設する第１工程と、前記柱の上端部間に梁を架設する第２工程と、前記梁に複数個の方形の強化フレームを、その下端においてボルトナットにより分離可能に固着する第３工程と、前記強化フレームの上端部に前記梁と同一構造を有する梁をボルトナットにより分離可能に固着する第４工程と、前記上下の梁の間に、サッシ又は壁体もしくはサッシ及び壁体の上下端部を分離可能に固定する第５工程と、前記２階目の梁及びその上方に設けられる梁に対して第３工程、第４工程及び第５工程を所望階数分繰り返す第６工程からなることを特徴とする建築物の施工方法。
【手続補正２】
【補正対象書類名】明細書
【補正対象項目名】０００６
【補正方法】変更
【補正の内容】
【０００６】
本発明は、上記事情に鑑みてなされたものであり、解決しようとする第１の課題は、現場での組立、使用後の分解が可能で、使用中に柱による居住空間の狭隘化がなく、従って、運搬コストが高くなく、移築再使用（リユース）が可能な中期建築物として好適な建築物を提供することにある。
第２の課題は、上記建築物の施工を高能率的に行うことができる施工方法を提供することにある。
【手続補正３】
【補正対象書類名】明細書
【補正対象項目名】０００７
【補正方法】変更
【補正の内容】
【０００７】
上記第１の課題を解決するため、本発明に係る建築物は、上下の梁の間に、複数個の強化フレームを横方向に間隔を置いて前記梁に対して分離可能に取付けて、前記上下の梁の間に柱を設けることを不要にしたことを特徴としている。
そして、前記強化フレームは、方形の金属枠体に金属製タスキを溶接又は固着してなるものであることを特徴としている。
本発明に係る建築物は、また、平面多角形の各辺に沿って設けた基礎と、前記基礎に立設した１階分の高さの柱と、前記柱の上端部間に架設した第１の梁と、方形の金属製枠体に金属製のタスキを対角線状に固着してなる強化フレームであって、前記平面多角形の各辺の上方に存在する前記第１の梁に対して少なくとも２個が、その下端においてボルトナットにより分離可能に固着されたものと、前記第１の梁と同一構造を有し、前記平面多角形の各辺の上方に存在する強化フレームの上端部にボルトナットにより分離可能に固着された第２の梁と、前記第１の梁と前記第２の梁との間に、前記強化フレームに隣接して取り付けられたサッシ又は壁体もしくはサッシ及び壁体とを有し、２階の柱を不要とされたことを特徴としている。
【手続補正４】
【補正対象書類名】明細書
【補正対象項目名】０００９
【補正方法】変更
【補正の内容】
【０００９】
本発明の好ましい例では、上記建築物において、いずれの梁も横転Ｈ形鋼で作られているとともに、強化フレームの金属製枠体はアングル材を方形に溶接してなり、上下のアングル材の水平辺を前記梁のフランジ部に重ね合わせ、その重ね合わせ部分においてボルトナットにより前記梁に分離可能に固着されていることを特徴としている。
【手続補正５】
【補正対象書類名】明細書
【補正対象項目名】００１０
【補正方法】変更
【補正の内容】
【００１０】
本発明に係る施工方法は、基礎に１階分の高さの柱を立設する第１工程と、前記柱の上端部間に第１の梁を架設する第２工程と、前記第１の梁に複数個の方形の強化フレームを、その下端においてボルトナットにより分離可能に固着する第３工程と、前記強化フレームの上端部に前記第１の梁と同一構造を有する第２の梁をボルトナットにより分離可能に固着する第４工程と、前記第１の梁と前記第２の梁の間に、サッシ又は壁体もしくはサッシ及び壁体を分離可能に固定する第５工程とからなることを特徴としている。